(57)【要約】【課題】  保持ピンを挿通する際の作業性を改善し、生産効率を向上させることのできる化粧パネル及びこれを備えた換気扇を提供する。【解決手段】  パネル本体２０と、パネル本体２０の背面の周縁部に設けられ、第一の挿通穴１９ａを有する第一の保持部１５と、背面視において第一の保持部１５よりも内側に設けられ、第二の挿通穴１９ｂを有する第二の保持部１７と、中心部にコイル部９が設けられ、コイル部９の両端から係止脚１０が開脚状に延び出したスプリング８と、第一の挿通穴１９ａと第二の挿通穴１９ｂとコイル部９とに挿通され、第一の保持部１５と第二の保持部１７との間にスプリング８を保持する保持ピン１３と、第一の保持部１５と第二の保持部１７との間に設けられ、保持ピン１３がコイル部９に挿通可能な位置に、スプリング８を支持するリブ１８とを備える。【選択図】  図６
2018189338.tif 000002
【特許請求の範囲】
【請求項１】
パネル本体と、
前記パネル本体の背面の周縁部に設けられ、第一の挿通穴を有する第一の保持部と、
背面視において前記第一の保持部よりも内側に設けられ、第二の挿通穴を有する第二の保持部と、
中心部にコイル部が設けられ、前記コイル部の両端から係止脚が開脚状に延び出したスプリングと、
前記第一の挿通穴と前記第二の挿通穴と前記コイル部とに挿通され、前記第一の保持部と前記第二の保持部との間に前記スプリングを保持する保持ピンと、
前記第一の保持部と前記第二の保持部との間に設けられ、前記保持ピンが前記コイル部に挿通可能な位置に、前記スプリングを支持する支持部材と
を備えた化粧パネル。
【請求項２】
前記支持部材は、前記保持ピンが挿通された状態において、前記コイル部の中心軸と前記保持ピンの中心軸とが一致するように前記スプリングを支持することを特徴とする請求項１に記載の化粧パネル。
【請求項３】
前記支持部材は、前記パネル本体の背面から垂直に突出していることを特徴とする請求項１又は２に記載の化粧パネル。
【請求項４】
前記支持部材は、前記スプリングと複数箇所で接することを特徴とする請求項１から３のいずれか一項に記載の化粧パネル。
【請求項５】
前記支持部材は、前記第一の保持部及び前記第二の保持部を補強するリブであることを特徴とする請求項１から４のいずれか一項に記載の化粧パネル。
【請求項６】
前記リブは、前記第一の保持部及び前記第二の保持部と接することを特徴とする請求項５に記載の化粧パネル。
【請求項７】
前記支持部材は、前記パネル本体の背面から垂直に突出した二つの部材で構成されており、前記第一の保持部と前記第二の保持部との間に設けられることで四角筒形状の保持構造を形成することを特徴とする請求項１から６のいずれか一項に記載の化粧パネル。
【請求項８】
換気扇本体と、請求項１から７のいずれか一項に記載の化粧パネルとを備えたことを特徴とする換気扇。
【発明の詳細な説明】
【技術分野】
【０００１】
本発明は、化粧パネル及びこれを備えた換気扇に関するものである。
【背景技術】
【０００２】
換気扇の中には、建物の天井内に取り付けられ、ダクトを通して排気や給気を行うものがある。この種の換気扇には、換気扇本体の室内側の開口部に、化粧パネルがスプリングによって弾性的に取り付けられている。スプリングは、中心部にコイル部が設けられ、コイル部の両端から係止脚が開脚状に延び出した構造をしており、スプリングのコイル部と化粧パネルに設けられた挿通穴とに保持ピンを挿通することによって、化粧パネルに取り付けられる（例えば、特許文献１参照）。
【先行技術文献】
【特許文献】
【０００３】
【特許文献１】特開２０１３−３６６５１号公報
【発明の概要】
【発明が解決しようとする課題】
【０００４】
上記のような化粧パネルにおいては、保持ピンを挿通する際、コイル部が保持ピンを挿通できる位置にくるように、人の手でスプリングを保持していた。そのため、保持ピンを挿通する際の作業性が悪く、生産効率が低下するという問題があった。
【０００５】
本発明は、上記した問題点を解決するためになされたものであり、保持ピンを挿通する際の作業性を改善し、生産効率を向上させることのできる化粧パネル及びこれを備えた換気扇を提供することを目的とするものである。
【課題を解決するための手段】
【０００６】
本発明に係る化粧パネルは、パネル本体と、パネル本体の背面の周縁部に設けられ、第一の挿通穴を有する第一の保持部と、背面視において第一の保持部よりも内側に設けられ、第二の挿通穴を有する第二の保持部と、中心部にコイル部が設けられ、コイル部の両端から係止脚が開脚状に延び出したスプリングと、第一の挿通穴と第二の挿通穴とコイル部とに挿通され、第一の保持部と第二の保持部との間にスプリングを保持する保持ピンと、第一の保持部と第二の保持部との間に設けられ、保持ピンがコイル部に挿通可能な位置に、スプリングを支持する支持部材とを備えたものである。
【発明の効果】
【０００７】
本発明の化粧パネルは、保持ピンがコイル部に挿通可能な位置に、スプリングを支持する支持部材を設けたことにより、保持ピンを挿通する際の作業性を改善し、生産効率を向上させることができる。
【図面の簡単な説明】
【０００８】
【図１】本発明の実施の形態における換気扇の分解斜視図である。
【図２】本発明の実施の形態における化粧パネルの背面図である。
【図３】本発明の実施の形態における化粧パネルの側面図である。
【図４】本発明の実施の形態における化粧パネルの部分斜視図である。
【図５】本発明の実施の形態における化粧パネルの部分斜視図である。
【図６】本発明の実施の形態における保持構造の断面図である。
【発明を実施するための形態】
【０００９】
以下、本発明の実施の形態について、図面を用いて詳細に説明する。なお、この実施の形態によりこの発明が限定されるものではない。
【００１０】
実施の形態．
図１から図６は本実施の形態の換気扇を示すものであり、図１は換気扇の分解斜視図、図２は化粧パネルの背面図、図３は化粧パネルの側面図、図４及び図５は化粧パネルの部分斜視図、図６は保持構造の断面図である。なお、図２から図４は、スプリングを倒伏させた状態を示し、図５及び図６は、スプリングを起立させた状態を示している。
【００１１】
図１に示すように、本実施の形態における換気扇１００は、換気扇本体１と、化粧パネル３と、ダクト接続体４とを備える。
【００１２】
換気扇本体１は、天井内に取り付けられるものであり、取付時に室内側を向く面が吸込口２として開口している。吸込口２の口縁には、外向きに張り出す取付フランジ２ａが形成されており、取付フランジ２ａを、例えば天井材にネジ止めすることによって、換気扇本体１が天井構造に取り付けられる。換気扇本体１の内部には、吸込口２からダクト接続体４に向かう排気流を形成する送風機５が組み込まれている。換気扇本体１の側面には、排気用の接続部６が形成されており、ダクト接続体４が係脱可能に取り付けられている。
【００１３】
化粧パネル３は、換気扇本体１の吸込口２の周囲に沿って装着される。図１及び図２に示すように、化粧パネル３は樹脂製のパネル本体２０を有しており、パネル本体２０の周囲には、背面方向、すなわち取付時においてパネル本体２０から換気扇本体１に向かう方向に向けて突出した立ち上がり部１６が形成されている。また、パネル本体２０の中央部分には、空気が通過できるように、十字状の格子部７が形成されている。
【００１４】
図２に示すように、パネル本体２０の背面には、対向する二箇所にスプリング８が取り付けられており、二つのスプリング８によって化粧パネル３が換気扇本体１に取り付けられる。スプリング８は、中心部にコイル部９が設けられ、コイル部９の両端から開脚上に二本の係止脚１０が延び出した構造をしている。スプリング８の係止脚１０を換気扇本体１に設けられた係止部１１に係止させることで、化粧パネル３が換気扇本体１に弾性的に支持される。
【００１５】
図４に示すように、スプリング８は、パネル本体２０の背面の格子部７上に一体形成された四角筒状の保持構造１２によって、パネル本体２０に保持される。保持構造１２は、第一の保持部１５と、背面視において第一の保持部１５よりも内側の第二の保持部１７と、第一の保持部１５と第二の保持部１７とをつなぐ二つの辺１４とから構成されている。
【００１６】
第一の保持部１５は第一の挿通穴１９ａを有し、第二の保持部１７は第二の挿通穴１９ｂを有している。パネル本体２０にスプリング８を取り付ける際には、樹脂製の保持ピン１３を第一の挿通穴１９ａから差し込み、スプリング８のコイル部９を通して、第二の挿通穴１９ｂに差し込むことで、スプリング８を保持構造１２に挟むように保持できるようになっている。スプリング８は、係止脚１０が背面側に突出する状態で保持構造１２に保持される。
【００１７】
なお、図５に示すように、第一の保持部１５及び第二の保持部１７は、スプリング８を起立状態に保持するように、立ち上がり部１６よりも高く形成されている。また、図４に示すように、第二の保持部１７は、中央部分が凸状に突出した構造をしており、スプリング８を持ち上げることで、内側に倒伏させることができるようになっている。梱包時においては、スプリング８を倒伏させることで、包装形態を小さくすることができる。
【００１８】
図６に示すように、保持構造１２の内部には、パネル本体２０の背面から垂直に突出したリブ１８が二つ形成されている。リブとは、突起状の補強部材であり、本実施の形態のリブ１８は、第一の保持部１５及び第二の保持部１７と接することで、第一の保持部１５及び第二の保持部１７の変形や破損を防止する機能を有する。リブ１８の間隔Ｌ１は、スプリング８のコイル部９の外径Ｌ３よりも短くなっており、スプリング８を配置した場合に、リブ１８がスプリング８と二点で接する構造となっている。リブ１８の間隔Ｌ１と高さＬ２を変化させることで、コイル部９の中心軸の位置を任意に決定することができ、図６に示すように、保持ピン１３の挿通時に、コイル部９の中心軸と保持ピン１３の中心軸とが一致するように、コイル部９を配置させることができる。
【００１９】
このように、コイル部９の中心軸と保持ピン１３の中心軸とが一致するように、リブ１８でスプリング８を支持することにより、人の手でスプリング８を保持していなくても、保持ピン１３をコイル部９に挿通することができる。そのため、換気扇の製造段階において、保持ピン１３を挿入する際の作業性を改善し、生産効率を向上させることができる。
【００２０】
なお、本実施の形態では、コイル部９の中心軸と保持ピン１３の中心軸とが一致するように、リブ１８でスプリング８を支持しているが、保持ピン１３がコイル部９に挿通可能な位置であれば、コイル部９の中心軸と保持ピン１３の中心軸とが完全に一致する必要はない。
【００２１】
また、リブ１８の間隔Ｌ１をコイル部９の外径Ｌ３よりも短くなるように構成したが、リブ１８によってスプリング８を支持できれば良く、リブ１８の間隔Ｌ１をコイル部９の外径Ｌ３よりも長くなるように構成しても良い。
【００２２】
また、リブ１８の本数についても、必ずしも二本である必要はなく、三本以上のリブ１８でスプリング８を支持しても良い。
【００２３】
また、リブ１８を複数本設ける必要もなく、リブ１８がスプリング８と複数箇所で接し、スプリング８を支持できる構造であれば良い。例えば、リブ１８が一本で分岐したような形状であっても良い。
【００２４】
また、リブ１８自体を設けずに、保持構造１２の二つの辺１４で係止脚１０と接する構造とし、二つの辺１４でスプリング８を支持しても良い。
【００２５】
また、リブ１８が第一の保持部１５及び第二の保持部１７と接するものであるとしたが、必ずしもリブ１８が第一の保持部１５及び第二の保持部１７と接している必要はない。
【００２６】
また、本実施の形態では、保持構造１２を四角筒形状としているが、スプリング８を支持するためのリブ１８を設ければ、保持構造１２の二つの辺１４を設ける必要はなく、保持構造１２が、第一の保持部１５と第二の保持部１７の二つで構成されるものであっても良い。
【００２７】
また、本実施の形態では、意匠性を考慮し、室内側から保持構造１２が見えないように、保持構造１２を格子部７の形状に合わせた四角筒形状としている。しかし、保持構造１２を設ける位置は格子部７上以外でも良く、保持構造１２が必ずしも四角筒形状である必要はない。
【００２８】
また、保持構造１２は格子部７上に一体形成されたものであるとしたが、一体形成せず、保持構造１２を別の部品として化粧パネル３に取り付けられるようにしても良い。
【００２９】
上記の説明においては、格子部を有する化粧パネルを例として説明したが、格子部を有さない化粧パネルであっても、スプリングを用いて換気扇に取り付ける化粧パネルであれば、本発明は適用可能である。また同様に、上記の説明においては、室内の空気をダクトを介して室外へ排出する換気扇を例として説明したが、ダクトを介して室外から吸い込んだ空気を室内に供給する換気扇であっても本発明は適用可能である。
【符号の説明】
【００３０】
１  換気扇本体、  ２  吸込口、  ２ａ  取付フランジ、  ３  化粧パネル、  ４  ダクト接続体、  ５  送風機、  ６  接続部、  ７  格子部、  ８  スプリング、  ９  コイル部、  １０  係止脚、  １１  係止部、  １２  保持構造、  １３  保持ピン、  １４  辺、  １５  第一の保持部、  １６  立ち上がり部、  １７  第二の保持部、  １８  リブ、  １９ａ  第一の挿通穴、  １９ｂ  第二の挿通穴、  ２０  パネル本体、  １００  換気扇。
【図１】
2018189338.tif 000003
【図２】
2018189338.tif 000004
【図３】
2018189338.tif 000005
【図４】
2018189338.tif 000006
【図５】
2018189338.tif 000007
【図６】
2018189338.tif 000008